(57)【要約】【課題】子器から親器への無線による信号送信と、親器から照明器具への無線によるコマンド発信との干渉を抑制して、照明器具の制御を正確に行えるようにした照明システムを提供する。【解決手段】照明システム１０は、照明器具１２と、照明器具１２に対して調光状態を制御するコマンドを所定時間間隔で無線発信する親器１４と、操作部１６ｂを有しており、操作部１６ｂが長押し操作されたとき長押し操作の開始信号と終了信号のみを親器１４に対して無線送信する子器１６とを備える。【選択図】図２
2020021590.tif 000002
【特許請求の範囲】
【請求項１】
照明器具と、
前記照明器具に対して調光状態を制御するコマンドを所定時間間隔で無線発信する親器と、
操作部を有しており、前記操作部が長押し操作されたとき前記長押し操作の開始信号と終了信号のみを前記親器に対して無線送信する子器と、を備える照明システム。
【請求項２】
前記子器は、前記長押し操作の開始信号を送信したときからの時間を計測し、計測された時間から前記親器が前記コマンドを無線発信する時間を特定し、前記親器が前記コマンドを発信する時間とずらしたタイミングで前記長押し操作の終了信号を前記親器に送信する、請求項１に記載の照明システム。
【請求項３】
前記親器は前記子器に対して次回のコマンド発信予定時間を無線送信し、前記子器は前記コマンド発信予定時間とずらしたタイミングで前記長押し操作の終了信号を前記親器に対して無線送信する、請求項１に記載の照明システム。
【発明の詳細な説明】
【技術分野】
【０００１】
本開示は、照明システムに関する。
【背景技術】
【０００２】
従来、例えば特許文献１には、複数の照明器具と、これらの照明器具の点灯状態や明るさ等を無線のコマンドによって個別に調整する無線リモコンとを備えた照明システムが記載されている。
【先行技術文献】
【特許文献】
【０００３】
【特許文献１】特開２０１６−２２５１７５号公報
【発明の概要】
【発明が解決しようとする課題】
【０００４】
無線リモコンで照明器具を制御する照明システムにおいて、無線リモコンが親器と子器で構成されることがある。この場合、子器の操作部が操作されたとき、その操作信号が親器に無線で送信され、この操作信号を受信した親器が照明器具に対して点灯状態を制御するコマンドを所定時間間隔で無線により発信することがある。このような構成の照明システムにおいて、子器から親器への操作信号の無線送信と、親器から照明器具へのコマンドの無線発信とが同期すると、無線の干渉により照明器具の制御を正確に行うことができないことがある。
【０００５】
本開示の目的は、子器から親器への無線による信号送信と、親器から照明器具への無線によるコマンド発信との干渉を抑制して、照明器具の制御を正確に行えるようにした照明システムを提供することである。
【課題を解決するための手段】
【０００６】
本開示に係る照明システムは、照明器具と、照明器具に対して調光状態を制御するコマンドを所定時間間隔で無線発信する親器と、操作部を有しており、操作部が長押し操作されたとき長押し操作の開始信号と終了信号のみを親器に対して無線送信する子器と、を備える。
【発明の効果】
【０００７】
本開示に係る照明システムによれば、子器から親器に無線で送信される信号と、親器から照明器具に無線で発信されるコマンドとの干渉を抑制して、照明器具の制御を正確に行うことができる。
【図面の簡単な説明】
【０００８】
【図１】一実施の形態である照明システムの全体構成図である。
【図２】図１に示した照明システムの機能ブロック図である。
【図３】親器の制御部で実行される処理手順を示すフローチャートである。
【図４】子器の制御部で実行される処理手順を示すフローチャートである。
【図５】親器の制御部で実行される別の処理手順を示すフローチャートである。
【図６】子器の制御部で実行される別の処理手順を示すフローチャートである。
【発明を実施するための形態】
【０００９】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１０】
図１は、一実施の形態である照明システム１０の全体構成図である。照明システム１０は、照明器具１２、親器１４および子器１６を備える。照明システム１０は、例えば、建物内のオフィスや会議室などに設置される。
【００１１】
照明器具１２は、例えば、天井に設置される。本実施形態では、照明システム１０が３つの照明器具１２を備える場合が例示される。照明システム１０に含まれる照明器具１２は、１つであってもよいし、或いは、３つ以外の複数であってもよい。
【００１２】
照明器具１２は、発光部１８と、受信部２０とを有している。発光部１８は、例えば、ＬＥＤ光源が設けられており、ＬＥＤ光源が発光することによって発光部１８から照明光が出射される。
【００１３】
照明器具１２の受信部２０は、親器１４から発信されるコマンドを受信する機能を有する。受信部２０は、アンテナを含んでもよい。照明器具１２および親器１４は、例えば、赤外線通信等の無線通信によってコマンドの授受を行う。照明器具１２は、受信部２０で受信したコマンドに応じて、発光部１８（すなわちＬＥＤ光源）の点灯状態を変更する。具体的には、照明器具１２は、コマンドに応じて発光部１８が点灯または消灯される。また、照明器具１２は、コマンドに応じて発光部１８の調光率（すなわち明るさ）が調整される。
【００１４】
親器１４は、照明器具１２に対してコマンドを無線により発信する機能を有する。親器１４は、例えば、室内の壁等に設置される。後述するように、親器１４は、子器１６の操作部が長押し操作されたときに、照明器具１２に対してコマンドを無線により所定時間間隔で発信する。
【００１５】
また、本実施形態における親器１４は、操作部１４ｂを備えてもよい。親器１４は、操作部１４ｂの操作に応じて照明器具１２の点灯状態を制御する無線リモートコントローラとして機能する。操作部１４ｂは、照明器具１２の調光率を増加させる調光率増加スイッチ２２と、同調光率を低下させる調光率低下スイッチ２４と、照明器具１２への電源供給をオンオフする電源スイッチ２６とを含む。本実施形態では３つのスイッチ２２，２４，２６が上下方向に並んで配置されている。各スイッチ２２，２４，２６は、例えば、押下式スイッチによって好適に構成される。
【００１６】
調光率増加スイッチ２２は、所定時間（例えば２０ｍｓ）以上継続して押下された長押し操作が行われたとき、親器１４から照明器具１２に対して、調光率を所定量（例えば、１％）ずつ増加させるコマンドが所定時間間隔（例えば、３ｍｓ）で発信される。他方、調光率増加スイッチ２２が長押し操作ではなく短時間（例えば、２０ｍｓ未満）の押下操作がなされたとき、１回押下操作されるごとに調光率を所定量だけ増加させるコマンドが親器１４から照明器具１２に対して発信される。
【００１７】
調光率低下スイッチ２４は、所定時間（例えば２０ｍｓ）以上継続して押下された長押し操作が行われたとき、親器１４から照明器具１２に対して、調光率を所定量（例えば、１％）ずつ減少させるコマンドが所定時間間隔（例えば、３ｍｓ）で発信される。他方、調光率低下スイッチ２４が長押し操作ではなく短時間（例えば、２０ｍｓ未満）の押下操作がなされたとき、１回押下操作されるごとに調光率を所定量だけ減少させるコマンドが親器１４から照明器具１２に対して発信される。
【００１８】
電源スイッチ２６は、押下操作により照明器具１２に対する電源供給がオン又はオフされる。したがって、照明器具１２が消灯状態にあるとき電源スイッチ２６が押下操作されると照明器具１２が点灯し、照明器具１２が点灯状態にあるとき電源スイッチ２６が押下操作されると照明器具１２が消灯する。
【００１９】
照明システム１０の子器１６は、操作部１６ｂを有している。本実施形態の照明システム１０では２つの子器１６が含まれる場合を例示するが、これに限定されるものではなく、子器１６は１つであってもよいし又は３以上であってもよい。子器１６は、例えば、室内の壁等に設置される。或いは、子器１６は、持ち運び可能な無線リモートコントローラであってもよい。
【００２０】
子器１６の操作部１６ｂは、照明器具１２の調光率を増加させる調光率増加スイッチ２２と、同調光率を低下させる調光率低下スイッチ２４と、照明器具１２への電源供給をオンオフする電源スイッチ２６とを含む。これらの各スイッチ２２，２４，２６の機能は親器１４の操作部１４ｂと同じである。ただし、子器１６の操作部１６ｂが操作されたとき、その操作に基づく信号は照明器具１２ではなく親器１４に対して例えば赤外線通信等の無線により送信される点で親器１４と相違する。
【００２１】
具体的には、子器１６の調光率増加スイッチ２２または調光率低下スイッチ２４について短時間の押下操作がなされたとき、子器１６から親器１４に対して調光率を増加または減少させる信号が送信される。この信号を受信した親器１４は、調光率を増加または減少させるコマンドを生成して照明器具１２に対して無線発信する。他方、詳しくは後述するが、子器１６の調光率増加スイッチ２２または調光率低下スイッチ２４が長押し操作されたとき、長押し操作の開始信号と終了信号のみを親器１４に対して無線送信する。
【００２２】
子器１６の電源スイッチ２６が押下操作されたとき、電源供給信号または電源遮断信号が子器１６から親器１４に無線送信される。この電源供給信号または電源遮断信号を受信した親器１４は、照明器具１２に対して電源供給をオン又はオフするコマンドを生成して無線発信する。
【００２３】
図２は、図１に示した照明システム１０の機能ブロック図である。図２では、１つの子器１６だけが示されている。
【００２４】
図２に示すように、親器１４は、通信部１４ａ、操作部１４ｂ、及び、制御部１４ｃを備える。通信部１４ａは、照明器具１２に対してコマンドを発信する機能、および、子器１６から送信される信号を受信する機能を有する。操作部１４ｂは、上述したように調光率増加スイッチ２２、調光率低下スイッチ２４、及び電源スイッチ２６によって構成される。
【００２５】
制御部１４ｃは、例えば、メモリを備えたマイコンによって好適に構成される。制御部１４ｃは、メモリに記憶されているプログラムを読み出して実行することができる。メモリには、照明システム１０の制御に関するプログラム等が予め記憶されている。
【００２６】
図２に示すように、本実施形態における子器１６は、通信部１６ａ、操作部１６ｂ、制御部１６ｃ、及び、計時部１６ｄを備える。通信部１６ａは、親器１４に対して信号を無線で送信する機能を有する。操作部１６ｂは、上述したように調光率増加スイッチ２２、調光率低下スイッチ２４、及び電源スイッチ２６によって構成される。
【００２７】
制御部１６ｃは、例えば、メモリを備えたマイコンによって好適に構成される。制御部１６ｃは、メモリに記憶されているプログラムを読み出して実行することができる。メモリには、照明システム１０の制御に関するプログラム等が予め記憶されている。
【００２８】
計時部１６ｄは、時間を計測する機能を有する。計時部１６ｄは、例えば、計時カウンタによって好適に構成される。計時部１６ｄは、後述するように子器１６の操作部１６ｂにおいて長押し操作の開始信号の送信時からの経過時間などを計測する。
【００２９】
次に、図３及び図４を参照して、本実施形態の照明システム１０における動作について説明する。図３は、親器１４の制御部１４ｃで実行される処理手順を示すフローチャートである。図３に示す処理は、照明器具１２が点灯状態にあるとき、所定時間ごとに繰り返し実行される。
【００３０】
図３に示すように、親器１４の制御部１４ｃは、ステップＳ１０において、長押し開始信号を受信したか否かを判定する。ここで、長押し開始信号は、子器１６の操作部１６ｂにおいて調光率増加スイッチ２２または調光率低下スイッチ２４が押下操作されてから所定時間（例えば、２０ｍｓ）経過したときに子器１６の通信部１６ａから親器１４に無線送信される。
【００３１】
親器１４の制御部１４ｃは、長押し開始信号を受信していないと判定したとき（ステップＳ１０でＮＯ）、そのまま処理を終了する（エンド処理）。他方、親器１４の制御部１４ｃは、長押し開始信号を受信したと判定したとき（ステップＳ１０でＹＥＳ）、続くステップＳ１２において、通信部１４ａから照明器具１２に対して調光コマンドを定期的に発信する。具体的には、子器１６の調光率増加スイッチ２２が長押し操作されているときには、調光率を所定量（例えば、１％）ずつ増加させるコマンドを所定時間間隔（例えば、３ｍｓ）で発信する。他方、子器１６の調光率低下スイッチ２４が長押し操作されているときには、調光率を所定量（例えば、１％）ずつ減少させるコマンドを所定時間間隔（例えば、３ｍｓ）で発信する。
【００３２】
次に、親器１４の制御部１４ｃは、ステップＳ１４において、長押し終了信号を受信したか否かを判定する。ここで、長押し終了信号は、子器１６の操作部１６ｂにおいて調光率増加スイッチ２２または調光率低下スイッチ２４の押下操作が解除されたとき、子器１６の通信部１６ａから親器１４に無線送信される。
【００３３】
親器１４の制御部１４ｃは、長押し終了信号を受信していないと判定したとき（ステップＳ１４でＮＯ）、ステップＳ１２に戻って調光コマンドの発信を継続する。これに対し、親器１４の制御部１４ｃは、長押し終了信号を受信したと判定したとき（ステップＳ１４でＹＥＳ）、続くステップＳ１６において、調光コマンドの発信を停止する。なお、この時点での調光率は、制御部１４ｃのメモリに記憶され、照明器具１２の次回の点灯時の調光率として利用されてもよい。
【００３４】
図４は、子器１６の制御部１６ｃで実行される処理手順を示すフローチャートである。図４に示す処理は、照明器具１２が点灯状態にあるとき所定時間ごとに繰り返し実行される。
【００３５】
図４に示すように、子器１６の制御部１６ｃは、ステップＳ２０において、操作部１６ｂの調光率増加スイッチ２２または調光率低下スイッチ２４について長押し操作がされたか否かを判定する。ここで、子器１６の制御部１６ｃは、調光率増加スイッチ２２または調光率低下スイッチ２４が押下操作された状態が所定時間（例えば２０ｍｓ）以上継続したときに長押し操作されたと判定することができる。なお、調光率増加スイッチ２２または調光率低下スイッチ２４の押下操作時間は、計時部１６ｄによって計測することができる。
【００３６】
子器１６の制御部１６ｃは、調光率増加スイッチ２２または調光率低下スイッチ２４が長押し操作されたと判定されないとき（ステップＳ２０でＮＯ）、そのまま処理を終了する（エンド処理）。他方、子器１６の制御部１６ｃは、調光率増加スイッチ２２または調光率低下スイッチ２４が長押し操作されたと判定されたとき（ステップＳ２０でＹＥＳ）、続くステップＳ２２において、通信部１６ａから親器１４に対して長押し開始信号を送信する。
【００３７】
次に、子器１６の制御部１６ｃは、ステップＳ２４において、計時部１６ｄを構成する計時カウンタをスタートさせて時間を計測する。そして、子器１６の制御部１６ｃは、ステップＳ２６において、長押し操作が終了したか否かを判定する。長押し操作の終了は、調光率増加スイッチ２２または調光率低下スイッチ２４の押下操作が解除されてスイッチがオフになったか否かで判定することができる。
【００３８】
子器１６の制御部１６ｃは、調光率増加スイッチ２２または調光率低下スイッチ２４の長押し操作が終了したと判定されるまで待機する（ステップＳ２６でＮＯ）。そして、子器１６の制御部１６ｃは、調光率増加スイッチ２２または調光率低下スイッチ２４の長押し操作が終了したと判定されたとき（ステップＳ２６でＹＥＳ）、続くステップＳ２８において、計時部１６ｄによって計測された長押し操作時間が親器１４のコマンド発信時間間隔の整数倍か否かを判定する。
【００３９】
ここで、計時部１６ｄによって計測された長押し操作時間が親器１４のコマンド発信時間間隔の整数倍か否かを判定するのは、次の理由による。すなわち、親器１４からのコマンドの発信は所定時間間隔で行われるため、この所定時間間隔の整数倍が親器１４からコマンドが発信される時間と特定できるからである。したがって、ステップＳ２８で、計時部１６ｄによって計測された長押し操作時間が親器１４のコマンド発信時間間隔の整数倍か否かを判定することで、長押し終了信号を送信するタイミングが親器１４からのコマンド発信時間と一致するか否かを判定することができる。
【００４０】
長押し操作時間が親器１４のコマンド発信時間間隔の整数倍であると判定されたとき（ステップＳ２８でＹＥＳ）、子器１６の制御部１６ｃは、続くステップＳ３０において、通信部１６ａから親器１４への長押し終了信号の送信を遅延させる。具体的には、親器１４のコマンド発信時間間隔が例えば３ｍｓであるとき、子器１６の制御部１６ｃは、長押し終了信号の送信を例えば１ｍｓ、または、２ｍｓだけ遅延させる。
【００４１】
そして、子器１６の制御部１６ｃは、続くステップＳ３２において、通信部１６ａから親器１４に長押し終了信号を送信する。これにより、親器１４によるコマンド発信時間とずれたタイミングで長押し操作の終了信号が送信されることになる。その結果、子器１６から無線送信される長押し終了信号と、親器１４から無線発信されるコマンドとが干渉するのを抑制でき、その結果、照明器具１２の調光制御を確実に行うことができる。
【００４２】
子器１６の制御部１６ｃは、長押し操作の終了信号を送信した後、計時部１６ｄのカウント値をリセットして、処理を終了する（エンド処理）。
【００４３】
上述したように本実施形態の照明システム１０は、照明器具１２と、照明器具１２に対して調光状態を制御するコマンドを所定時間間隔で無線発信する親器１４と、操作部１６ｂを有しており、操作部１６ｂが長押し操作されたとき長押し操作の開始信号と終了信号のみを親器１４に対して無線送信する子器１６とを備える。この構成によれば、子器１６の操作部１６ｂが長押し操作された場合でも、子器１６から親器１４には長押し操作の開始信号と終了信号だけが送信され、その間は信号の無線送信は行われない。したがって、親器１４から無線発信されるコマンドが干渉されにくくなり、その結果、照明器具１２に対する調光制御を確実に行うことがきる。
【００４４】
本実施形態の照明システム１０において、子器１６は、長押し操作の開始信号を送信したときからの時間を計測し、計測された時間から親器１４がコマンドを無線発信する時間を特定し、親器１４がコマンドを発信する時間とずらしたタイミングで長押し操作の終了信号を親器１４に送信する。この構成によれば、子器１６から無線送信される長押し終了信号が親器１４から無線発信されるコマンドと干渉することを抑制することができ、その結果、照明器具１２に対する調光制御を確実に行うことがきる。
【００４５】
次に、図５及び図６を参照して、本実施形態の照明システム１０における親器１４および子器１６において実行される別の処理について説明する。図５は、親器１４の制御部１４ｃで実行される別の処理手順を示すフローチャートである。図６は、子器１６の制御部１６ｃで実行される別の処理手順を示すフローチャートである。
【００４６】
図５及び図６の処理手順は、図３及び図４を参照して上述した内容と類似する。したがって、図３及び図４の処理手順と同じ処理内容については同じステップ番号を付して説明を省略し、以下では相違する処理内容について主として説明する。
【００４７】
図５に示すように、親器１４の制御部１４ｃは、ステップＳ１２において調光コマンドを発信した後、ステップＳ１３において次回の調光コマンドの発信予定時間を通信部１４ａから子器１６に送信する。そして、親器１４の制御部１４ｃは、子器１６から長押し終了信号を受信するまでステップＳ１２，Ｓ１３を繰り返し実行する。他の処理内容は、図３に示した処理手順と同様である。
【００４８】
図６に示すように、子器１６の制御部１６ｃは、ステップＳ２２において長押し開始信号を送信した後、ステップＳ２５において次回の調光コマンドの発信予定時間を親器１４から受信する。そして、子器１６の制御部１６ｃは、長押し操作が終了するまでステップＳ２５，Ｓ２６の処理を繰り返し実行する。
【００４９】
子器１６の操作部１６ｂにおける長押し操作が終了すると（ステップＳ２６でＹＥＳ）、子器１６の制御部１６ｃは、続くステップＳ２９において、親器１４の次回コマンド発信予定時間に一致するタイミングか否かを判定する。ここで一致すると判定されたとき（ステップＳ２９でＹＥＳ）、子器１６の制御部１６ｃは、続くステップＳ３０において、長押し終了信号の送信を遅延させる。これ以降の処理は、図４と同様である。
【００５０】
このように本実施形態の照明システム１０では、親器１４は子器１６に対して次回のコマンド発信予定時間を無線送信し、子器１６はコマンド発信予定時間とずらしたタイミングで長押し操作の終了信号を親器１４に対して無線送信する。この構成によれば、親器１４による次回コマンド発信予定時間を子器１６が正確に特定することができる。したがって、親器１４がコマンドを発信する時間とずらしたタイミングで長押し操作の終了信号を親器１４に送信することをより確実に行うことができる。その結果、子器１６から無線送信される長押し終了信号が親器１４から無線発信されるコマンドと干渉することを抑制することができ、よって、照明器具１２に対する調光制御をより確実に行うことがきる。
【００５１】
なお、本開示に係る照明システムは、上述した実施形態およびその変形例に限定されるものではなく、本願の特許請求の範囲に記載された事項の範囲内において種々の変更や改良が可能である。
【００５２】
例えば、図５及び図６を参照して説明した処理手順では、親器１４が子器１６に対して次回の調光コマンドの発信予定時間を長押し終了信号を受信するまで繰り返し送信する場合について説明したが、これに限定されるものではない。親器１４から子器１６に対して次回の調光コマンドの発信予定時間を１回だけ送信する構成としてしてもよい。この場合、子器１６の制御部１６ｃは、受信した次回コマンド発信予定時間に、コマンドが発信される所定時間間隔の整数倍を加算することによって、それ以降に親器１４からコマンドが発信される時間を算出することができる。したがって、この場合でも子器１６から親器１４に長押し終了信号を送信するタイミングをコマンド発信予定時間とずらすことができる。その結果、子器１６から無線送信される長押し終了信号が親器１４から無線発信されるコマンドと干渉するのを抑制することができ、よって、照明器具１２に対する調光制御をより確実に行うことがきる。
【符号の説明】
【００５３】
１０  照明システム、１２  照明器具、１４  親器、１４ａ，１６ａ  通信部、１４ｂ，１６ｂ  操作部、１４ｃ，１６ｃ  制御部、１６  子器、１６ｄ  計時部、１８  発光部、２０、受信部、２２  調光率増加スイッチ、２４  調光率低下スイッチ、２６  電源スイッチ。
【図１】
2020021590.tif 000003
【図２】
2020021590.tif 000004
【図３】
2020021590.tif 000005
【図４】
2020021590.tif 000006
【図５】
2020021590.tif 000007
【図６】
2020021590.tif 000008